【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
移動体に搭載される、移動体通信手段を用いて外部から情報を取り込む情報取込機能と
、目的地までの走行ルートを案内するナビゲーション機能とを有した情報端末装置におい
て、
前記移動体通信手段の通信サービスエリアを示したマップ情報に基づき決定された前記
移動体の先の進路における前記移動体通信手段の電波状態に基づいて、使用者が所望する
情報を記憶手段に記憶させる必要があるか否かを判断する記憶要否判断手段と、
該記憶要否判断手段により、前記所望の情報を前記記憶手段に記憶させる必要があると
判断された場合、前記移動体通信手段を用いて前記所望の情報を取り込み、該所望の情報
を前記記憶手段に記憶させる情報取込記憶手段と、
前記移動体通信手段を用いて前記マップ情報の最新の改訂情報を取り込む最新改訂情報
取込手段と、
該最新改訂情報取込手段により取り込まれた前記マップ情報の最新の改訂情報とマップ
情報記憶手段に記憶されているマップ情報の改訂情報とが一致するか否かを判定する改訂
情報一致判定手段と、
該改訂情報一致判定手段により前記改訂情報が一致しないと判定された場合、前記移動
体通信手段を用いて最新の改訂版のマップ情報を取り込み、前記マップ情報記憶手段に記
憶されているマップ情報を更新する更新手段とを備えていることを特徴とする情報端末装
置。
【請求項２】
現在位置検出手段から得られる前記移動体の現在位置情報と、前記通信サービスエリア
を示したマップ情報とに基づいて、前記移動体が前記移動体通信手段の通信サービスエリ
ア外に位置するか否かを判断する移動体位置判断手段と、
該移動体位置判断手段により前記移動体が前記移動体通信手段の通信サービスエリア外
に位置すると判断された場合、前記記憶手段に記憶されている前記所望の情報を出力する
情報出力手段とを備えていることを特徴とする請求項１記載の情報端末装置。
【請求項３】
前記所望の情報には、前記目的地までの走行ルートの周辺施設に関する情報が含まれて
いることを特徴とする請求項１又は請求項２記載の情報端末装置。
【請求項４】
前記所望の情報を取り込むために利用される使用者のプロファイル情報を登録するため
のプロファイル情報登録手段を備え、  
前記情報取込記憶手段が、前記プロファイル情報登録手段を通じて登録された前記プロ
ファイル情報に基づいて抽出された情報を前記所望の情報として取り込むものであること
を特徴とする請求項１〜３のいずれかの項に記載の情報端末装置。
【手続補正２】
【補正対象書類名】明細書
【補正対象項目名】０００９
【補正方法】変更
【補正の内容】
【０００９】
上記目的を達成するために本発明に係る情報端末装置（１）は、移動体に搭載される、
移動体通信手段を用いて外部から情報を取り込む情報取込機能と、目的地までの走行ルー
トを案内するナビゲーション機能とを有した情報端末装置において、前記移動体通信手段
の通信サービスエリアを示したマップ情報に基づき決定された前記移動体の先の進路にお
ける前記移動体通信手段の電波状態に基づいて、使用者が所望する情報を記憶手段に記憶
させる必要があるか否かを判断する記憶要否判断手段と、該記憶要否判断手段により、前
記所望の情報を前記記憶手段に記憶させる必要があると判断された場合、前記移動体通信
手段を用いて前記所望の情報を取り込み、該所望の情報を前記記憶手段に記憶させる情報
取込記憶手段と、前記移動体通信手段を用いて前記マップ情報の最新の改訂情報を取り込
む最新改訂情報取込手段と、該最新改訂情報取込手段により取り込まれた前記マップ情報
の最新の改訂情報とマップ情報記憶手段に記憶されているマップ情報の改訂情報とが一致
するか否かを判定する改訂情報一致判定手段と、該改訂情報一致判定手段により前記改訂
情報が一致しないと判定された場合、前記移動体通信手段を用いて最新の改訂版のマップ
情報を取り込み、前記マップ情報記憶手段に記憶されているマップ情報を更新する更新手
段とを備えていることを特徴としている。
【手続補正３】
【補正対象書類名】明細書
【補正対象項目名】００１０
【補正方法】変更
【補正の内容】
【００１０】
上記情報端末装置（１）によれば、前記記憶要否判断手段により、前記所望の情報を前
記記憶手段に記憶させる必要があると判断された場合、すなわち、前記移動体の先の進路
において前記移動体通信手段の電波状態が悪く、前記情報取込機能が使用できないルート
があると判断された場合、前記移動体通信手段を用いて前記所望の情報を取り込み、該所
望の情報が前記記憶手段に記憶されるようになっているので、前記移動体通信手段の電波
状態が悪化して前記情報取込機能が使用できないエリアに入ったとしても、事前に前記記
憶手段に記憶されていた前記所望の情報を用いて、前記電波状態が良いときと同様に使用
者に提供することができ、使用者は、前記移動体通信手段の電波状態を気にすることなく
、また走行ルートを電波状態に合わせて変更する必要もなく、前記所望の情報を確認する
ことができる。
また、前記先の進路における前記移動体通信手段の電波状態は、前記移動体通信手段の
通信サービスエリアを示したマップ情報に基づいて決定されるので、前記先の進路と、前
記通信サービスエリアを示したマップ情報とを照合させることができ、前記先の進路にお
ける前記通信サービスエリアの状態を正確に判別することができる。
また、前記マップ情報の最新の改訂情報を取り込み、前記マップ情報記憶手段に記憶さ
れているマップ情報の改訂情報と一致しないと判定された場合、前記最新の改訂版のマッ
プ情報を取り込み更新するようになっているので、常に前記最新の改訂版のマップ情報を
利用することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また本発明に係る情報端末装置（３）は、上記情報端末装置（１）又は（２）において
、前記移動体通信手段の電波の受信状態を監視する電波状態監視手段と、該電波状態監視
手段により得られる情報と、現在位置検出手段から得られる前記移動体の現在位置情報と
、前記通信サービスエリアを示したマップ情報とに基づいて、前記マップ情報記憶手段に
記憶されているマップ情報を更新する第１の更新手段とを備えていることを特徴としてい
る。
【手続補正７】
【補正対象書類名】明細書
【補正対象項目名】００１６
【補正方法】変更
【補正の内容】
【００１６】
上記情報端末装置（３）によれば、前記電波状態監視手段により得られる情報と、前記
現在位置検出手段から得られる前記移動体の現在位置情報と、前記通信サービスエリアを
示したマップ情報とに基づいて、例えば、現在位置における実際の電波状態と、マップ情
報として記憶されている通信サービスエリアとの一致状態を判断することにより、一致し
ていない場合に、前記マップ情報記憶手段に記憶されているマップ情報を更新させること
ができ、前記移動体通信手段の実際の電波状態が反映された、より正確なマップ情報を作
成することができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
また本発明に係る情報端末装置（４）は、上記情報端末装置（１）〜（３）のいずれか
において、前記情報取込記憶手段が、現在位置検出手段から得られる前記移動体の現在位
置情報と、目的地までの走行ルートの情報と、前記通信サービスエリアを示したマップ情
報とを利用して、前記所望の情報を取り込むタイミングを決定する取込タイミング決定手
段を備えていることを特徴としている。
【手続補正１１】
【補正対象書類名】明細書
【補正対象項目名】００２０
【補正方法】変更
【補正の内容】
【００２０】
上記情報端末装置（４）によれば、前記現在位置検出手段から得られる前記移動体の現
在位置情報と、前記目的地までの走行ルートの情報と、前記通信サービスエリアを示した
マップ情報とを利用して、前記所望の情報を取り込むタイミングが決定される。例えば、
これら情報を利用して、前記走行ルートにおける通信サービスエリア外の場所に到着する
までの時間等を求め、該到着時間の直前や一定時間前、又は所定距離手前等のタイミング
が決定されるので、該決定されたタイミングで前記所望の情報を取り込むことができ、情
報の種類等に応じて適切なタイミングで前記所望の情報を取り込むことができる。
【手続補正１２】
【補正対象書類名】明細書
【補正対象項目名】００２１
【補正方法】変更
【補正の内容】
【００２１】
また本発明に係る情報端末装置（５）は、上記情報端末装置（１）〜（４）のいずれか
において、現在位置検出手段から得られる前記移動体の現在位置情報と、前記通信サービ
スエリアを示したマップ情報とに基づいて、前記移動体が前記移動体通信手段の通信サー
ビスエリア外に位置するか否かを判断する移動体位置判断手段と、該移動体位置判断手段
により前記移動体が前記移動体通信手段の通信サービスエリア外に位置すると判断された
場合、前記記憶手段に記憶されている前記所望の情報を出力する情報出力手段とを備えて
いることを特徴としている。
【手続補正１３】
【補正対象書類名】明細書
【補正対象項目名】００２２
【補正方法】変更
【補正の内容】
【００２２】
上記情報端末装置（５）によれば、前記移動体が前記通信サービスエリア外に位置する
場合は、前記記憶手段に記憶されている前記所望の情報を出力、例えば表示出力や音声出
力させることができる。したがって、前記移動体が前記通信サービスエリア外に位置する
場合であっても、前記電波状態に関係なく使用者に前記所望の情報を提供することができ
る。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
また本発明に係る情報端末装置（６）は、上記情報端末装置（１）〜（５）のいずれか
において、前記所望の情報には、前記目的地までの走行ルートの周辺施設に関する情報が
含まれていることを特徴としている。
【手続補正１７】
【補正対象書類名】明細書
【補正対象項目名】００２６
【補正方法】変更
【補正の内容】
【００２６】
上記情報端末装置（６）によれば、前記所望の情報には、前記目的地までの走行ルート
の周辺施設に関する情報が含まれているので、前記移動体通信手段の電波状態が悪化する
エリアでも、前記電波状態が良い時と同様に前記走行ルートの周辺施設に関する情報、例
えば、経由地や目的地付近の駐車場、観光名所、レジャースポット、飲食店などのお店、
宿泊施設などに関するテキスト情報や地図などの画像情報を使用者に提供することができ
、使用者は、前記走行ルートでの電波状態を気にすることなく、前記走行ルートの周辺施
設に関する情報を知ることができ、利便性を向上させることができる。
【手続補正１８】
【補正対象書類名】明細書
【補正対象項目名】００２７
【補正方法】変更
【補正の内容】
【００２７】
また本発明に係る情報端末装置（７）は、上記情報端末装置（１）〜（６）のいずれか
において、前記所望の情報を取り込むために利用される使用者のプロファイル情報を登録
するためのプロファイル情報登録手段を備え、前記情報取込記憶手段が、前記プロファイ
ル情報登録手段を通じて登録された前記プロファイル情報に基づいて抽出された情報を前
記所望の情報として取り込むものであることを特徴としている。
【手続補正１９】
【補正対象書類名】明細書
【補正対象項目名】００２８
【補正方法】変更
【補正の内容】
【００２８】
上記情報端末装置（７）によれば、前記プロファイル情報登録手段を通じて、前記所望
の情報を取り込むために利用される使用者のプロファイル情報、すなわち、使用者が取得
したい情報の種類等を事前に登録することができ、前記使用者のプロファイル情報に基づ
いて抽出された情報を前記所望の情報として取り込むことにより、使用者が所望する情報
を的確に提供することができる。